(57)【要約】【課題】カメラ部を備える携帯端末装置では記憶部に保持された多数の画像の中から所望の画像にアクセスすることは困難である。【解決手段】本携帯端末装置は、入力された音声を認識する音声認識部と、該音声認識部によって認識された文字列をカメラ部が撮影した画像に対応するファイル名として記憶部に記憶させる手段と、該ファイル名のリストを表示部に表示させる手段と、指定されたファイル名に対応する画像を表示させる手段とを備える。操作者は撮影画像のファイル名を容易に入力でき、また該ファイル名を用いて記憶部に保持された多数の画像から所望の画像を容易に表示できる。【選択図】      図１
2005020440.tif 000002
【特許請求の範囲】
【請求項１】
カメラ部および記憶部を備えた携帯端末装置であって、入力された音声を認識する音声認識部と、該音声認識部によって認識された文字列をカメラ部が撮影した画像に対応して前記記憶部に記憶させる手段と、前記文字列のリストを表示部に表示させる手段と、指定された文字列に対応する画像を表示させる手段とを備えることを特徴とする携帯端末装置。
【請求項２】
画像に対応する音声の入力がない場合に該当画像に対応して所定の文字列を記憶させる手段を備える請求項１記載の携帯端末装置。
【請求項３】
音声を入力することが可能な時間を設定するタイマーを備える請求項１または２記載の携帯端末装置。
【請求項４】
前記文字列は前記記憶部に記憶される画像データのファイル名である請求項１ないし３記載の携帯端末装置。
【請求項５】
入力された文字列を前記記憶部から検索し、該当文字列または該当文字列に対応する画像を表示部に表示させる手段を備える請求項１ないし４記載の携帯端末装置。
【請求項６】
音声認識部が認識した文字列を前記記憶部から検索し、該当文字列または該当文字列に対応する画像を表示部に表示させる手段を備える請求項１ないし４記載の携帯端末装置。
【請求項７】
カメラ部および記憶部を備えた携帯端末装置であって、画像に対応して入力される音声を記憶部に記憶させる手段と、記憶部に記憶された画像を表示部に表示させる手段と、表示された画像のうちの選択された画像に対応して前記記憶部に記憶されている音声を出力させる手段を備えることを特徴とする携帯端末装置。
【請求項８】
音声を入力することが可能な時間を設定するタイマーを備える請求項７記載の携帯端末装置。
【請求項９】
前記表示された画像はサムネイル画像である請求項７または８記載の携帯端末装置。
【発明の詳細な説明】
【０００１】
【発明の属する技術分野】
本発明は、携帯端末装置に関し、特にカメラ機能を備えた携帯端末装置に関する。
【０００２】
【従来の技術】
近年、カメラ機能付きの携帯電話機の普及が著しい。またこの携帯電話機が撮影可能な画像数は、メモリ容量の増加および外部ストレージ（例えばＳＤカード等）などによって、急速に増加している。このような状況に伴って、メモリや外部ストレージに記録された画像の管理が問題になっている。たとえば、過去に撮影した画像がどのような状況において撮影されたのか、わからなくなる場合がある。このような場合に備えて、各画像に対応してキャプションや付属説明を記録することができる端末（スチルカメラ）が提案されている。この場合、文字列の入力が煩雑なため、ユーザの音声を音声認識装置で認識し、これを文字列に変換し記録する方式がある。（例えば、特許文献１参照。）。
【０００３】
【特許文献１】
特開２０００−３４７６８２号公報（第５−６頁、図１、図３）
【０００４】
【発明が解決しようとする課題】
しかし、メモリに記憶された膨大な画像を管理する場合の最大の問題点は、膨大な画像のうちの所望の画像にアクセスすることの困難さである。メモリに登録した画像を表示部に表示させて確認するには、画像の一覧をファイル名の一覧として表示部に表示し、使用者のキー操作により目的の画像のタイトルを検索し、選択する必要がある。しかし撮影画像をメモリに登録する際には、画像タイトルは装置内の一定の規則により自動的に割り付けられるのが一般的である。一例としては、日時（年月日時分秒など）とシリアルナンバーの組み合わせによるタイトルがある。この場合、タイトル情報から画像の内容を推測することは困難である。所望の画像の撮影時期を思い出し、これらの時期に撮影した画像を個別に確認する必要がある。タイトル情報は、使用者が画像撮影、登録後にキー操作によって文字入力することにより編集可能であるが、操作手順が煩わしく、画像の全てにキー入力にてタイトル変更を行うことは通常行われない。
【０００５】
本発明は、この点に鑑み、利用者が簡単に撮影画像のファイル名を入力でき、該ファイル名によって、記憶部に保持された多数の画像から容易に所望の画像にアクセスできる携帯端末装置を提供することを目的とする。
【０００６】
【課題を解決するための手段】
本発明の携帯端末装置はカメラ部および記憶部を備え、入力された音声を認識する音声認識部と、該音声認識部によって認識された文字列をカメラ部が撮影した画像に対応して前記記憶部に記憶させる手段と、前記文字列のリストを表示部に表示させる手段と、指定された文字列に対応する画像を表示させる手段とを備える。該携帯端末装置では、入力された文字列を記憶部から検索し、該当文字列または該当文字列に対応する画像を表示部に表示させる手段を備えることができる。また、音声認識部が認識した文字列を前記記憶部から検索し、該当文字列または該当文字列に対応する画像を表示部に表示させる手段を備えることができる。
【０００７】
また他の発明の携帯端末装置はカメラ部および記憶部を備え、画像に対応して入力される音声を記憶部に記憶させる手段と、記憶部に記憶された画像を表示部に表示させる手段と、表示される画像のうち選択された画像に対応して前記記憶部に記憶されている音声を出力させる手段を備える。この場合表示される画像はサムネイル画像とすることができる。
【０００８】
上記発明では、画像に対応した音声の入力がない場合に該当画像に対応して所定の文字列を記憶させる手段、音声を入力することが可能な時間長を設定するタイマーを備えることができる。
【０００９】
上記携帯端末装置では、撮影した画像に対し利用者が容易に所望のファイル名を入力、登録できるので、所望の画像へのアクセスが容易になる。
【００１０】
【発明の実施の形態】
図１は、本発明の携帯端末装置の実施例を示すブロック図である。携帯端末装置は、アンテナ１、無線部２、制御部１０、メモリ１１、画像データ処理部１２、カメラ部１３、音声認識部１４、音声コーデック部１５、操作部１６、表示部１７、スピーカ１８、マイク１９を備える。携帯端末装置は、制御部１０の制御により無線部２、アンテナ１を介して基地局と通信を行う。無線部２は、アンテナ１にて信号を受信し、信号周波数を選択し周波数変換を行い、これを増幅、復調して、受信データを制御部１０に出力する。制御部１０は、受信データを処理して音声信号を音声コーデック部１５に出力し、音声コーデック部１５は、音声信号をアナログ信号に変え、スピーカ１８は音声を出力する。また、マイク１９より入力された音声は、音声コーデック部１５にてＰＣＭ信号にＡ／Ｄ変換され、制御部１０がその信号を送信データに処理し、無線部２が送信データを変調し規定の周波数の搬送波として増幅し、アンテナ１から送信される。
【００１１】
制御部１０は、画像データ処理部１２の制御及び出力される画像データの処理、音声認識部１４の制御及び出力される音声認識結果の処理、メモリ１１への情報の書込み・読出し、表示部１７の表示制御、操作部１６の操作検出処理などを行う。画像データ処理部１２は、カメラ部１３から出力される被写体の画像を制御部１０の制御により表示部１３への表示形式、およびメモリ１１への保存形式にそれぞれ変換する。制御部１０は、操作部１６からの操作情報に応じて画像データ処理部１２の動作を制御する。音声認識部１４は、制御部１０の制御により、音声コーデック部１５がマイク１９から入力された音声をＰＣＭ信号へＡ／Ｄ変換した信号を、メモリ１１に格納されている音声認識用の音声信号データと比較処理を行い、入力された音声データが何であるかの判定を行い、結果を制御部１０に通知する。制御部１０は音声認識の処理結果から音声データを判断して、文字列に変換してメモリ１１に格納する。
【００１２】
次に、上記携帯端末装置の撮像操作は以下のとおりである。カメラ撮像時、操作者は操作部１６によりカメラを起動し、表示部１７に被写体をリアルタイムで表示する、いわゆるプレビュー状態にする。このプレビュー状態において操作者は、撮影したい構図を確認したうえで操作部１６に割り当てられた、シャッタボタンを押下することで目的の被写体の撮影を実行する。携帯端末装置は、この後、撮影された画像のデータをメモリ１１に登録する動作に移る。この場合、シャッタボタン押下と同時に登録動作に移行する場合、シャッタ押下後登録対象の被写体を静止状態で表示部１７に表示して、操作部１６からの登録操作を制御部１０が検出してから登録動作に移行する場合がある。ここでは、操作者が画像登録の操作を実施した後の動作について説明する。
【００１３】
図２は操作者が撮像の登録を実施する場合のフローチャートである。操作者は、操作部１６のキーを操作し画像データの登録を選択する（Ｓ１）。制御部１０は、画像データ処理部１２に対して画像データをメモリ１１の画像格納用メモリ領域１１Ａが登録可能なフォーマットに変換する指示する（Ｓ２）。画像データ処理部１２において画像変換が完了したとき、操作者の音声を画像データのファイル名として入力するための制御が開始する。制御部１０はマイク１９及び音声コーデック部１５及び音声認識部１４を動作状態とし、同時に該登録画像データのファイル名を音声により入力することを操作者に促すメッセージを表示部１７に表示する（Ｓ３）とともに、音声入力許容時間を設定したタイマを動作させる（Ｓ４）。また、場合によってはスピーカ１８からのアラーム音の鳴動等により入力許可を通知する。
【００１４】
操作者が発声した音声は音声認識部１４にて認識され、抽出された音声データは制御部１０で文字列に変換される（Ｓ５）。制御部１０は、入力許容時間を設定したタイマがタイムアウトした時点で（Ｓ６）、取得した文字列をファイル名として画像に関連付けし、画像データとともにメモリ１１の画像データの関連情報を保持するメモリ領域１１Ｂに登録する（Ｓ７）。また、場合によってスピーカ１８からのアラーム音等により音声入力の終了を通知する。なお、設定した音声入力許容時間内に有効な音声データの抽出がされない場合は、例えばデフォルトとして携帯端末装置が保持する日時情報及び特定の規則を持つシリアルナンバーからなる情報を代替の文字列として画像データの関連情報として登録する（Ｓ８）。画像データと、その画像データに関連付けされたデータの登録が完了した時点で表示部１７にその旨を操作者に通知する表示を行う（Ｓ９）。
【００１５】
図３は、登録した画像を操作者が検索する場合のフローチャートである。制御部１０は、操作部１６を監視し、操作者の画像参照あるいは検索操作の入力を検出すると（Ｓ１０）、画像データの関連情報を保持するメモリ領域１１Ｂを検索し（Ｓ１１）、保存されている画像のファイル名をリスト化して表示部１７に一覧表示する（Ｓ１２）。操作者は、操作部１６のキーを操作し、画像データ登録時に自ら音声入力した情報を基に、表示部１７に表示されたリストの中から表示させたい画像のファイル名を選択する（Ｓ１３）。制御部１０は、操作部１６を監視し、ファイル名リストから特定の情報が選択されたことを検出すると、メモリ１１の画像登録用メモリ領域１１Ａから、そのファイル名の画像データを抽出し（Ｓ１４）、表示部１７に画像を表示する（Ｓ１５）。
【００１６】
本発明の他の態様として、音声データそのものを直接画像データに関連付けて保存することができる。これにより操作者は表示部１７に特定の画像表示させ、または表示させた複数の画像から特定の画像を選択することによって、上記音声を携帯端末装置のスピーカ１８から出力させることができる。この場合、メモリ１１に音声データ格納用のメモリ領域１１Ｃを配置する。音声データの保存は、制御部１０が、音声データを、音声コーデック部１５でＰＣＭ信号にＡ／Ｄ変換された状態でメモリ１１の音声データ格納用メモリ領域１１Ｃに保存する。
【００１７】
登録画像の中から特定の画像を検索する場合の一例として、画像を縮小し表示部１７に複数の画像をタイル状に並べて表示する、いわゆるサムネイル表示がある。図４、図５は携帯端末装置の表示部に画像をサムネイル表示した場合の例である。サムネイル表示状態の各画像の情報、例えばファイル名を表示する場合には各画像下にスペースを設けるか（図４）、操作者の選択によりフォーカスの当たった画像のタイトルを画像上にポップアップ表示する（図５）などの手段が一般的である。しかし携帯端末装置の表示部では、そのサイズの制限のため、ファイル名のスペースを設けるとポップアップ画像が非常に小さくなり、またポップアップ表示の場合は他の画像が見えにくくなる。本発明では、音声データを画像に関連付けてあらかじめ登録しているので、表示部に情報を文字列によって表示する替わりに、選択された画像の情報をスピーカから音声にて操作者に伝達することができる。
【００１８】
また、所望の画像を表示する場合、操作者が入力した文字列、または入力する音声に基づき、制御部１０がメモリ１１から検索して該当するファイル名、または該当する画像を表示部に表示させることが可能である。
【００１９】
【発明の効果】
本発明の携帯端末装置では、撮影し記録する画像について、音声にて容易に所望のファイル名を付与することができ、これによってメモリに記憶された多数の画像から希望する画像を容易に検索、表示させることができる。
【図面の簡単な説明】
【図１】本発明の携帯端末装置の基本構成の例を示すブロック図。
【図２】本発明の携帯端末装置においてファイル名を登録する例を示すフローチャート。
【図３】本発明の携帯端末装置において所望の画像を表示させる手順の例を示すフローチャート。
【図４】従来のサムネイル表示の例を示す図。
【図５】従来のサムネイル表示の他の例を示す図。
【符号の説明】
１    アンテナ
２    無線部
１０    制御部
１１    メモリ
１６    操作部
１７    表示部
１８    スピーカ
【図１】
2005020440.tif 000003
【図２】
2005020440.tif 000004
【図３】
2005020440.tif 000005
【図４】
2005020440.tif 000006
【図５】
2005020440.tif 000007